(57)【要約】【課題】      視野角度から生ずる不都合な影響を除去若しくは低減するマルチ−パネル・プロジェクション・システムにおける側方色変更を修正するための方法並びに装置の提供【解決手段】  スリー・パネル液晶プロジェクション装置１０は複数の液晶パネル２０を備える。液晶パネル２０の１つは、映写された像１６を有する。該映写された像１６は残りの液晶パネル２０に対して反転している。レッドパネル２０ａ、グリーンパネル２０ｂ或いはブルーパネル２０ｃの何れか１つにおいて、ガラスバフ層の方向６４ａ或いはシリコンバフ層の方向６４ｃのいずれかは、残りの液晶パネル２０のバフ層の方向と反対方向に回転している。液晶パネル２０のうち１つの中に配される液晶４４の捩れ方向は、それに応じて異なるものとされる。【選択図】  図１
2005070783.tif 000002
【特許請求の範囲】
【請求項１】
第１ディスプレイパネル、第２ディスプレイパネル及び第３ディスプレイパネルを備え、
第１ディスプレイパネルが、第２ディスプレイパネル及び第３ディスプレイパネルの同様のアスペクトの全体的な鏡像であるアスペクトを有することを特徴とするビデオ・ディスプレイ装置。
【請求項２】
前記アスペクトが、バフ層の相対的バフ方向であることを特徴とする請求項１記載のビデオ・ディスプレイ装置。
【請求項３】
前記バフ層がシリコンバフ層であることを特徴とする請求項２記載のビデオ・ディスプレイ装置。
【請求項４】
前記バフ層がガラスバフ層であることを特徴とする請求項２記載のビデオ・ディスプレイ装置。
【請求項５】
前記バフ層がシリコン層の上に配設される材料の層であることを特徴とする請求項２記載のビデオ・ディスプレイ装置。
【請求項６】
前記バフ層がガラス層の上に配設される材料の層であることを特徴とする請求項２記載のビデオ・ディスプレイ装置。
【請求項７】
前記バフ層がシリコン層の上に配設されるポリイミドの層であることを特徴とする請求項２記載のビデオ・ディスプレイ装置。
【請求項８】
前記バフ層がガラス層の上に配設されるポリイミドの層であることを特徴とする請求項２記載のビデオ・ディスプレイ装置。
【請求項９】
前記第１ディスプレイパネルがグリーン・ディスプレイパネルであることを特徴とする請求項１記載のビデオ・ディスプレイ装置。
【請求項１０】
前記ビデオ・ディスプレイ装置がスリー・パネル・プロジェクション・ディスプレイ装置であることを特徴とする請求項１記載のビデオ・ディスプレイ装置。
【請求項１１】
前記第１ディスプレイパネル、第２ディスプレイパネル及び第３ディスプレイパネルのそれぞれが液晶ディスプレイであることを特徴とする請求項１記載のビデオ・ディスプレイ装置。
【請求項１２】
前記第１ディスプレイパネル、第２ディスプレイパネル及び第３ディスプレイパネルのそれぞれが反射型液晶ディスプレイであることを特徴とする請求項１記載のビデオ・ディスプレイ装置。
【請求項１３】
前記ビデオ・ディスプレイ装置が非テレセントリック・プロジェクション・システムであることを特徴とする請求項１記載のビデオ・ディスプレイ装置。
【請求項１４】
前記アスペクトが、相対的な液晶材料層の捩れ方向であることを特徴とする請求項１記載のビデオ・ディスプレイ装置。
【請求項１５】
第１の相対的なバフ方向を備える第１パネルと、
前記第１の相対的なバフ方向を備える第２パネルと、
第２の相対的なバフ方向を備える第３パネルからなることを特徴とするビデオ・プロジェクション・システムのための液晶パネルセット。
【請求項１６】
前記第２の相対的なバフ方向が、全体的に、前記第１の相対的なバフ方向に対する鏡像であることを特徴とする請求項１５記載のセット。
【請求項１７】
前記第２の相対的なバフ方向が、基準バフ方向に対して、前記第１の相対的なバフ方向の角度のずれと反対側に且つ等しい量だけの角度のずれを備えることを特徴とする請求項１５記載のセット。
【請求項１８】
第１の相対的な液晶ねじり方向を備える第１パネルと、
前記第１の相対的な液晶ねじり方向を備える第２パネルと、
第２の相対的な液晶ねじり方向を備える第３パネルからなることを特徴とするビデオ・プロジェクション・システムのための液晶パネルセット。
【請求項１９】
前記第２の相対的な液晶ねじり方向が全体的に、前記第１の相対的な液晶ねじり方向に対する鏡像であることを特徴とする請求項１８記載のセット。
【請求項２０】
前記第２の相対的な液晶ねじり方向が、基準液晶ねじり方向に対して、前記第１の相対的な液晶ねじり方向の角度のずれと反対側に且つ等しい量だけの角度のずれを備えることを特徴とする請求項１５記載のセット。
【請求項２１】
第１の方向に第１パネルバフ層をバフ磨きする工程と、
前記第１の方向に第２パネルバフ層をバフ磨きする工程と、
第２の方向に第３パネルバフ層をバフ磨きする工程を備えることを特徴とするマルチ−パネル・ディスプレイ装置を製造する方法。
【請求項２２】
前記第１パネルバフ層、前記第２パネルバフ層及び前記第３パネルバフ層がそれぞれ、第１パネル、第２パネル及び第３パネルのシリコン層上に配設されることを特徴とする請求項２１記載の方法。
【請求項２３】
第１ねじり方向を備える第１パネル内に液晶を供給する工程と、
前記第１ねじり方向を備える第２パネル内に液晶を供給する工程と、
第２ねじり方向を備える第３パネル内に液晶を供給する工程を更に備えることを特徴とする請求項２２記載の方法。
【請求項２４】
第１パネル、第２パネル及び第３パネルを組み立てる工程を更に備え、第１パネルからの第１の像、第２パネルからの第２の像及び第３パネルからの第３の像が集中し、組み合わされた像を創出されることを特徴とする請求項２２記載の方法。
【請求項２５】
第３パネルバフ層がグリーン・ディスプレイパネルの層であることを特徴とする請求項２１記載の方法。
【請求項２６】
バフ層と、
液晶層と、
前記バフ層に関連するバフ方向の表示とを備えることを特徴とする液晶パネル。
【請求項２７】
前記液晶層に関連するねじり方向の表示を更に備えることを特徴とする請求項２６記載の液晶パネル。
【請求項２８】
前記バフ方向の前記表示が前記パネルに関連する部品内に含まれることを特徴とする請求項２６記載の液晶パネル。
【発明の詳細な説明】
【技術分野】
【０００１】
本発明は、概して、ビデオ・ディスプレイ装置の分野、より詳しくは、液晶プロジェクション・ディスプレイ装置の構造における改良に関する。
本発明に係るカラー変更修正の装置及び方法の主な使用は、１つのパネルから映写された像が、通常、他の２つのパネルから映写された像に関して、反転される、スリー・パネル・カラー・プロジェクション・システムに見られる不都合な影響を修正する。これらの問題は、特に、非テレセントリック・プロジェクション・システムにおいて重要である。
【背景技術】
【０００２】
多くのビデオ・カラー・プロジェクション・システムでは、３つの液晶パネルは、３つの原色のそれぞれの為の１つとして使用される。
３つの液晶パネルのそれぞれからの画像を結合するのに使われる光学システムは、通常、１のパネルからの像を、他の２つのパネルからの像に対する鏡像として映写する。
例えば、３つの像は、鏡もしくは類似のものを使用して結合されるので、３つ目の像がレンズに直接映写される間、残りの像の２つは、鏡によって反転される。
【発明の開示】
【発明が解決しようとする課題】
【０００３】
１つの映写された像は、それ自体、別個に、他の２つの像に対して反転していることは、一般に、電子ドライバ回路において、１つの液晶パネルへ提供された電子画像を逆にすることにより、簡単に修正され得る。このことは、３つの像全てを、同じ方向に、映写させるものとなる。しかしながら、同じ方向に映写されることにより生ずるシステム上のエラーが発生する。このエラーは容易には修正されない。これは、テレセントリックではないシステムに、特にあてはまる。
非テレセントリックシステムにおいて、液晶による視野角度は、映写された画像の均一性に重大な影響を与える。例えば、デバイス内でシステム上、左右の偏りが生じている場合、少なくとも１つのチャンネルが動かされたとすれば、「パープル／グリーン・シフト」が表れる。一方、このエラーは小さいものであるが、不愉快なものであるに違いない。
【０００４】
３つのカラー画像を、これら３つ全てを均一にする方法で、結合させる手段もしくは装置を用いることは、望ましいことである。
しかしながら、発明者の知識から、該問題に対する解決策は、従来技術には存在しなかった。
【課題を解決するための手段】
【０００５】
（要約）
本発明は、従来技術に関する上述の問題点の少なくともいくつかを解決する。
本発明の目的は、液晶プロジェクト装置の３つのパネルのうち、１つの液晶パネルからの像が、他の２つのパネルに対して、反転される時、視野角度から生ずる不都合な影響のいくつかを、削除もしくは削減することである。
【０００６】
本発明によれば、液晶パネルの１つは、バフ方向とねじれ方向、即ち、他の２つの液晶パネルの逆のバフ方向を伴って、組み立てられる。
このことは、あらゆる事項で、結果物を他の２つのパネルの鏡像とはさせない一方で、発明者は本発明に従って組立てられた１のパネルと従来からある２つのパネルの結合は、３つの本質的に同一のパネルを使用する同様のシステムと比べて、重大な改善を供給することを発見した。
【０００７】
これら及び他の対象と本発明の利点は、発明の実施形態の記述から、当業者に容易に理解される。また、産業上の利用可能性、それからここで述べられ、いくつかの図で図解されているようなことも、当業者に容易に理解される。ここで議論された、目的、及び／又は、利点は、本発明の全てではない。その上、１もしくはそれ以上の所望される目的及び／又は利点を有さず、もしくは適応上必要とされない場においてさえ、本発明を実行するのは可能である。
【０００８】
さらに、当業者は、本発明のあらゆる実施形態が、本発明の潜在的な目的、及び／又は利点の内、全てではないが、１もしくはそれ以上を達成し得ることを、認識する。
従って、ここで述べられた、多くの目的、及び／又は、利点は、本発明の本質的な要素ではなく、本発明の要旨は、ここで述べられた実施例等に限られるわけではない。
【発明の効果】
【０００９】
液晶プロジェクト装置の３つのパネルのうち、１つの液晶パネルからの像が、他の２つのパネルに対して、反転される時、視野角度から生ずる不都合な影響のいくつかを、削除もしくは削減することができる。
【発明を実施するための最良の形態】
【００１０】
本発明を、図を参照して、以下に詳説する。以下の各図において、同様の数字は、同じ、若しくは同様の要素を表すものとする。本発明が、本発明の目的を達成する為の実施形態という観点から説明される一方、これらの記載から、種々の実施形態が、本発明の目的もしくは技術的範囲から離れることなく、遂行されることは、当業者に理解される。
【００１１】
ここで述べられ、及び／又は、図示された、本発明の実施例、及び、その他、あらゆる実施例は、一実施例として示されているに過ぎず、本発明の技術的範囲はこれに限られるものではない。その他、特段の事情がない限り、本発明の個々の部分及び構成要素は、省略、又は変更されるか、若しくは、既知の同等品に置き換える、又は将来開発されるであろう現時点における未知の代替品、若しくは、将来適応可能と判断されたものに置き換えられ得る。
本発明は、適応範囲は非常に広く、且つ、あらゆる実施例に適応可能であるとされているので、本発明の技術的範囲内において、様々な用途に使用されるべく変更され得る。
【００１２】
図１は、本発明の一実施形態によるスリー・パネル液晶プロジェクション装置１０の平面図である。図１は、実際の大きさをもとに記載されたものでも、正確な比率をもとに記載されたものでもない。むしろ、構成要素の比率は、その関係が最も鮮明に図示されるよう、変えられる。当業者は、図１に関して議論された構成要件の形式に、すぐに馴染むであろう。
【００１３】
図１からも分かるとおり、スリー・パネル液晶プロジェクション装置１０は、映写スクリーン１８上で、結合画像１６を映写する為の、レンズ・アセンブリ１４を含むプロジェクタ・ハウジング１２を有する。３つの液晶パネル２０は、プロジェクタ・ハウジング１２付近に位置する。本実施例において、３つの液晶パネル２０は、レッド・パネル２０ａ、グリーン・パネル２０ｂとブルー・パネル２０ｃからなる。レンズは、プロジェクタ・ハウジング１２内部に配され（図示せず）、そしてレンズは、３つの液晶パネル２０からの画像を結合させる。これらのレンズは、基本的に、画像を結合するのに、既知の若しくは未だ創作されていない、あらゆるシステムに適合され得る。
プロジェクタ・ハウジング１２内部のレンズの精度は、本発明には関係しないが、レンズが、液晶パネル２０のうちの１つからの画像を、他の２つの液晶パネル２０に対する、幾つかの方向において（左から右、上から下の双方）、反転させる。
【００１４】
図２は液晶パネル２０のうちの１つを図示したものである。図２を参照しつつ、以下に本発明を詳説する。図２から見て解るように、液晶パネル２０は、上面３０、底面３２、左面３４と右面３６からなる。符号３０乃至３６に示される面は、例えば、それらは、液晶パネル２０が前方から見られるか、若しくは、後方から見られるかといった要求に応じて、任意に定められる。ここでは、液晶パネル２０の前面側から見られるように定めている。図２の例は、以下により詳しく議論される、３つ全ての液晶パネル２０へ適応可能であることも、また記載されている。
【００１５】
図３は、結合像１６の分解図である。図３から解かるように、結合像１６は、レッド像１６ａ及びグリーン像１６ｂ及びブルー像１６ｃが組み合わせられて作られる。実際、３つの像１６ａ、１６ｂ及び１６ｃは結合像１６を作るために重ねられる。しかしながら、本明細書内に記載するように、本発明の必要な側面を説明するために、図３においては、１６ａ、１６ｂ及び１６ｃは引き離されている。図３から解かるように、上面３０及び底面３２は、図２の液晶パネル２０の例と比較して、３つのすべての像１６ａ、１６ｂ及び１６ｃにおいて反対になっている。これは、レンズ・アセンブリ２０（図１）が像１６ａ、１６ｂ及び１６ｃを上下逆にするためである。もちろん、これは、スリー・パネル液晶プロジェクション装置１０において液晶パネル２０へのシグナルを提供することにより調整される。該液晶パネル２０は上下逆の像を作り出し、映写された結合像１６は観察者から見て、右側が上になる。
【００１６】
図３から解かるように、グリーン像１６ｂもまた、図２の例で示される本来のものと比較して、左右逆になった左側３４及び右側３６を有している。一方、レッド像１６ａ及びブルー像１６ｃは、図２の例のように、本来の方向（左から右）のままである。この特例において、これは、グリーン像１６ｂは、直接、レンズ・アセンブリ１４に映写され、レンズ・アセンブリ１４によって左と右を逆さまにされるためである。一方、レッド像１６ａ及びブルー像１６ｃの両方は、プロジェクタ・ハウジング内で左右を逆さまにされ、さらにレンズ・アセンブリ１４によって逆さまにされる。即ち、それらは、それぞれ、レッド液晶パネル２０ａ及びブルー液晶パネル２０ｃ（図１）における本来の向きとなる。
【００１７】
図４は、本発明で使用される液晶パネル２０の１つの部分的断面の正面図である。図４の例は、３つすべての液晶パネル２０ａ、２０ｂ及び２０ｃ（図１）に適応する。図４からわかるように、液晶パネル２０が上部シリコン層４０及びガラス層４２を有する。液晶物質４４は上部シリコン層４０とガラス層４２に挟まれている。上部シリコン層４０は、その上に薄いシリコン・バフ層４６を有し、ガラス層４２は、その上に薄いガラス・バフ層４８を有している。当業者は、バフ層４６及び４８をよく知っているだろう。該バフ層４６及び４８は、１つの物質から作られ、一般的にポリイミドといったポリマーで作られる。該ポリイミドは、バフ方向を作り出すためにバフ磨きされ、このことは、後に詳細に説明する。複数（特別な液晶パネル２０におけるピクセルの数と同数の）の鏡を有する鏡層４９は上部シリコン層４０の下に存在する。該鏡層４０は映写された光をその表面で反射する（光が液晶４４によって遮断されない限り）と同時に、潜在的に液晶４４と合わさるために１つの電極としての役割を果たす。鏡５０の下の追加の回路層、鏡５０と対極する電極を提供する（インジウム・スズ酸化物等の）上部伝導性層、鏡への電気的接続及び同様の物質は、図４においては省かれているが、これら全ては当業者によってよく知られている。図４の及びそれに関連する説明は、先行技術或いは本発明の構造に同様に適応する。しかしながら、図４の構成物質のいくつかは、後に説明する側面において、先行技術と異なる。
【００１８】
図５は、バフ用装置５４を概略的に表したものである。図５の例は、言及する動作を達成するために用いられる機械部分を正確に描写したものでははいが、当業者は、完全にそのような装置が理解できる。むしろ、図５の例は、後に詳細に言及する本発明のいくつかの側面を示すために導入されている。図５には、例えばバフ層５８で表面が覆われている基層５６が示されている。図５の例は、基層５６が上部シリコン層４０或いはガラス層４２（図４）のいずれかである場合の操作、及び／あるいはバフ層５８がシリコン・バフ層５８或いはガラス・バフ層４８（図４）のいずれかである場合においての操作に同様に適応する。図５の例は、バフ磨き輪６０を概略的に表している。バフ磨き輪６０が、回転矢印で示すように、回転するので、バフ層５８は、バフ方向矢印６４で示すように、整えられる。当業者は、バフ磨き操作の効果に関する文献において、完全に意見が一致しないことがわかる。最も重要な側面が、バフ層５８の分子が層全体に広げられ及び／又はバフ方向矢印６４が示すように配列しようと、或いは、望ましい効果を生むこととなる微小な傷が、バフ層５８において作り出されようとも、先行技術において、バフ磨き操作が、液晶４４（図４）の分子が容易に整列する方向の配列を生み出すことがわかる。
【００１９】
図６は、本発明に関して、液晶プロジェクション装置における相対的バフ方向を概略的に表したものである。図６の例において、第１ガラス・バフ層の方向矢印６４ａは基準方向を示す。該基準方向は液晶パネル２０（図１）のいずれにおいてもバフ方向として使用される可能性がある。さらに、図６の例において、シリコン・バフ層方向矢印６４ｂを示す。該シリコン・バフ層方向矢印６４ｂは、先行技術の液晶パネル（図示せず）におけるバフ方向として使用され、また本発明のスリー・パネル液晶プロジェクション装置１０（図１）の例においてレッド・パネル２０ａ、ブルー・パネル２０ｃで使用される可能性がある。図７は、本明細書に記載する本発明の例であるグリーン・パネル２０ｂの例における相対的バフ方向を概略的に表したものである。図６と図７の例を比較してわかるように、両方の図面におけるガラス・バフ層方向矢印６４ａは、すべてのスリー液晶パネル２０（図６中のレッド・パネル２０ａ及びブルー・パネル２０ｃ、図７中のグリーン・パネル２０ｂで示すように）において、そのバフ方向が等しいことを表している。しかしながら、一方のシリコン・バフ層方向６４ｃは、異なるバフ方向を示している。該バフ方向は図６のシリコン・バフ層方向矢印６４ｂと比較して反対方向に斜めに傾いている。本発明のこの例に関して、グリーン・パネル２０ｂ（図１）のシリコン・バフ層４６（図４）は、一方のシリコン・バフ層方向矢印６４ｃによって示されるように、バフ磨きされる。
【００２０】
当業者は理解するように、電力が個々の鏡５０（図４）にかけられる時、液晶４４（図４）の分子が最も低いエネルギー配列になる傾向があるため、グリーン・パネル２０ｂにおける液晶４４の回転はレッド・パネル２０ａとブルー・パネル２０ｃにおける液晶４４の回転の鏡像となる傾向がある。当業者によって、ガラス・バフ層方向矢印６４ａの基準方向からシリコン・バフ層方向矢印６４ｂと６４ｃの回転角度はよく知られている。本実施例において、シリコン・バフ層方向矢印６４ｂと６４ｃは、ガラス・バフ層方向矢印から４５度回転される。
【００２１】
液晶４４が上記した方向でねじれることを可能にするため、グリーン・パネル２０ｂにおける液晶４４の組織はレッド・パネル２０ａとブルー・パネル２０ｃで使用される液晶と比較して作り変えられている。液晶物質は容易に多くの原料から選ばれ利用可能である。本明細書で示す例においては、液晶はマーク・アンド・コ・インク（Merck（登録商標）&Co.,Inc.）から得ることができる。本例において、レッド・パネル２０ａとブルー・パネル２０ｃの液晶４４の製造のためのMerck（登録商標）の原料番号は、１０４００−０６１＋０．１５％Ｒ８１１である。グリーン・パネル２０ｂの液晶４４の製造のための原料番号は、１０４００−０６１＋０．１５Ｓ８１１である。図６に示すように、先程言及した例のレッド・パネル２０ａのための相対的ねじれ方向は、ねじれ方向矢印６６ａによって示す。図７で示すように、反対方向のねじれ方向矢印６６ｂは、先程言及した本発明の例のグリーン・パネル２０ｂにおける相対的ねじれ方向を示す。
【００２２】
図８は、カラー変更修正方法７０の例を要約したフローチャートである。カラー変更修正方法７０に関して、バフ作業７２において、液晶パネル２０は、上記のようにバフ磨きされる。そして液晶パネル２０の１つは、図６と図７に関連して上記で説明したように、バフ磨きされ、そのバフ方向は、他の２つの液晶パネル２０の鏡像である。当業者には理解されるが、鏡像としてつくり出される１つの液晶パネル２０が前述の例において示したグリーン・パネル２０ｂである必要はない。むしろ液晶パネルからの像が他の２つと相対的に逆さまになるように位置する場合においては、いずれの液晶パネルもそのようにみなされる。液晶供給作業７４において、液晶パネル２０には、本明細書で前述したように液晶４４が供給される。本発明は、作業７２と７４において先行技術と区別されるが、スリー・パネル液晶プロジェクション装置１０の組み立てを完成するために、そのスリー液晶パネル２０は、組立て作業７６において、本発明のスリー・パネル液晶プロジェクション装置１０を作るために、プロジェクタ・ハウジング１２（図１）に加えられる。３つの該液晶パネル２０は、本明細書内に記載の方法と装置によって製造される。
【００２３】
本発明の上記記載に関して、当業者は、３つの液晶パネル２０からの像１６がプロジェクション・システムを通して重ねられる時、すべての３つの液晶パネル２０のバフ方向６４の映写後の方向は、同様であることを理解する。
【００２４】
本発明は、スリー液晶プロジェクション・システムに関連して本明細書に記載されているが、当業者は、本発明が基本的には任意のマルチ−パネル・プロジェクション・システムに適応可能であることがわかる。その場合においても、１以上のパネルが、１以上の他のパネルからの像と比較して逆さまになる。他の明らかな改良点は、ガラス・バフ層方向６４ａの１つのバフ方向は様々であるのに、シリコン・バフ層方向６４ｂの相対的バフ方向がすべての３つの液晶パネル２０において一致することである。当業者は、現在存在する或いは未開発の同様のシステムに適合させることにより、容易に本発明を改良することができる。
【００２５】
さらに、液晶パネルは、一般的に、パネルの液晶物質において、バフ方向及び／又はねじれ方向の表示を有しない。しかしながら、前述したように、液晶パネルに連携したそのような表示を提供することは、特にプロジェクション・システムの製造において役立ち、これは、本発明の進歩性の側面である。液晶パネルは、パネルそれ自体に直接、或いは個々の液晶パネルと関連する物質（包装、印刷物、部品番号等）に、そのような表示を有する。
【００２６】
上記すべては、本発明の利用可能な実施例のほんの数例である。当業者は、多くの他の改良及び改変がなされていることを容易に理解できる。記載されている特徴の多くは、本発明の趣旨及び範囲から離れることなく、代用として利用され、変更され、或いは削除される可能性がある。例えば、レッド・パネル２０ａ又はブルー・パネル２０ｂのいずれかは、液晶パネル２０の残りのパネルと比較して逆さまの像を有していることになる。上記で詳しく述べたように、当業者は、これら及び他の既に示した個々の実施例との違いに気づくことができる。それゆえ、当業者は、本発明を個々の応用の必要性及び利便性に応じて、容易に本発明を多様化することができる。したがって、本開示は、限定を意図するものではなく、また、添付の請求項は本発明の全範囲を包括するものとして解釈される。
【産業上の利用可能性】
【００２７】
本発明は、マルチ−パネル・プロジェクション・システムに好適に適用される。
【図面の簡単な説明】
【００２８】
【図１】本発明によるカラー液晶プロジェクション装置の平面図である。
【図２】液晶プロジェクション装置の液晶パネルの内の１つを図示したものである。
【図３】液晶装置により作成された結合画像の展開図である。
【図４】本発明で使用される液晶パネルの立体図における部分的断面図である。
【図５】本発明の１実施例を構築するのに使用されるバフ装置の図である。
【図６】本発明に従い、液晶プロジェクション装置における相対的バフ方向を表現した図である。
【図７】本発明の実施例であるグリーン・パネルの例において相対的バフ方向を表現した図である。
【図８】本発明方法の１実施例のいくつかの操作を表現したフローダイヤグラムである。
【符号の説明】
【００２９】
１０・・・・スリー・パネル液晶プロジェクション装置
１４・・・・レンズ・アセンブリ
１８・・・・映写スクリーン
２０・・・・液晶パネル
４０・・・・上部シリコン層
４２・・・・ガラス層
４６・・・・シリコン・バフ層
４８・・・・ガラス・バフ層
５４・・・・バフ用装置
【図１】
2005070783.tif 000003
【図２】
2005070783.tif 000004
【図３】
2005070783.tif 000005
【図４】
2005070783.tif 000006
【図５】
2005070783.tif 000007
【図６】
2005070783.tif 000008
【図７】
2005070783.tif 000009
【図８】
2005070783.tif 000010